(57)【要約】  複数の蓄電素子（２００）を備える蓄電装置（１）であって、蓄電素子（２００）同士を接続するバスバー（４００）と、配線と、複数のガイド部を有する配線配置部材（３００）と、コネクタ保持部材（６００）とを備え、複数のガイド部のうちの一部のガイド部は、コネクタ保持部材（６００）を位置決めし、複数のガイド部のうちの他の一部のガイド部は、配線の経路を形成する。
2017131182.tif 000002
【特許請求の範囲】
【請求項１】
複数の蓄電素子を備える蓄電装置であって、
前記蓄電素子同士を接続するバスバーと、
配線と、
複数のガイド部を有する配線配置部材と、
コネクタ保持部材とを備え、
前記複数のガイド部のうちの一部のガイド部は、前記コネクタ保持部材を位置決めし、
前記複数のガイド部のうちの他の一部のガイド部は、前記配線の経路を形成する
蓄電装置。
【請求項２】
前記複数のガイド部は、第一ガイド部と第二ガイド部とを有し、
前記配線配置部材は、
前記第一ガイド部を有する第一配線配置部材と、
前記第二ガイド部を有する第二配線配置部材とを有し、
前記第一配線配置部材と前記第二配線配置部材との境界を挟んで対向する前記第一ガイド部と前記第二ガイド部とによって前記配線の経路が形成される
請求項１に記載の蓄電装置。
【請求項３】
前記複数のガイド部のそれぞれは、上方へ突出する複数の突出部を有する
請求項１または２に記載の蓄電装置。
【請求項４】
前記コネクタ保持部材は、
コネクタが取り付けられた第一コネクタ保持部材と、
前記第一コネクタ保持部材と同一形状であって、コネクタを取り付け可能な開口がカバー部材で閉塞された第二コネクタ保持部材とを有する
請求項１〜３のいずれか１項に記載の蓄電装置。
【請求項５】
前記第一コネクタ保持部材は、前記配線配置部材の一端部に設けられたガイド部に位置決めされ、
前記第二コネクタ保持部材は、前記配線配置部材の他端部に設けられたガイド部に位置決めされる
請求項４に記載の蓄電装置。
【請求項６】
さらに、前記配線配置部材上に配置される蓋体を備え、
前記複数のガイド部のうちの少なくとも１つのガイド部の先端と前記蓋体とは、接触している、又は、近接して対向している
請求項１〜５のいずれか１項に記載の蓄電装置。
【請求項７】
前記配線配置部材は、前記蓄電素子上に配置され、前記蓄電素子を下方に向けて押さえ込む押さえ部材である
請求項１〜６のいずれか１項に記載の蓄電装置。
【請求項８】
前記コネクタ保持部材には、前記複数のガイド部のうちの少なくとも１つのガイド部が挿入される貫通孔が形成されている
請求項１〜７のいずれか１項に記載の蓄電装置。
【請求項９】
前記コネクタ保持部材は、外面が前記蓄電装置の外装体の外面と同一平面上に配置される
請求項１〜８のいずれか１項に記載の蓄電装置。
【請求項１０】
前記複数のガイド部は、回転対称の位置に配置される
請求項１〜９のいずれか１項に記載の蓄電装置。
【請求項１１】
さらに、
前記コネクタに接続された配線が接続される第一基板と、
前記蓄電素子に接続された配線が接続される第二基板とを備え、
前記第一基板と前記第二基板とは、離隔して配置される
請求項１〜１０のいずれか１項に記載の蓄電装置。
【請求項１２】
前記第一基板と前記第二基板とは、前記配線配置部材が有する異なる部材に配置される
請求項１１に記載の蓄電装置。
【発明の詳細な説明】
【技術分野】
【０００１】
本発明は、蓄電素子を備える蓄電装置に関する。
【背景技術】
【０００２】
従来、蓄電素子（単電池）を備え、当該蓄電素子の電気的な監視を行うために、配線が配置された蓄電装置（電池モジュール）が知られている（例えば、特許文献１参照）。
【先行技術文献】
【特許文献】
【０００３】
【特許文献１】特開２０１２−１７４５０７号公報
【発明の概要】
【発明が解決しようとする課題】
【０００４】
しかしながら、上記従来の蓄電装置では、配線を配置するために、配線経路を形成する部材やコネクタを取り付けるための部材などを設ける必要があるため、構成が複雑になってしまうという問題がある。【０００５】
本発明は、上記問題を解決するためになされたものであり、配線を配置する際の構成を簡素化することができる蓄電装置を提供することを目的とする。
【課題を解決するための手段】
【０００６】
上記目的を達成するために、本発明の一態様に係る蓄電装置は、複数の蓄電素子を備える蓄電装置であって、前記蓄電素子同士を接続するバスバーと、配線と、複数のガイド部を有する配線配置部材と、コネクタ保持部材とを備え、前記複数のガイド部のうちの一部のガイド部は、前記コネクタ保持部材を位置決めし、前記複数のガイド部のうちの他の一部のガイド部は、前記配線の経路を形成する。
【発明の効果】
【０００７】
本発明における蓄電装置によれば、配線を配置する際の構成を簡素化することができる。
【図面の簡単な説明】
【０００８】
【図１】図１は、本発明の実施の形態に係る蓄電装置の外観を示す斜視図である。
【図２】図２は、本発明の実施の形態に係る蓄電装置を分解した場合の各構成要素を示す分解斜視図である。
【図３】図３は、本発明の実施の形態に係るモジュール群の内部の各構成要素を示す斜視図である。
【図４】図４は、本発明の実施の形態に係るモジュール群を分解した場合の各構成要素を示す分解斜視図である。
【図５】図５は、本発明の実施の形態に係る第一配線配置部材または第二配線配置部材の外観を示す斜視図である。
【図６】図６は、本発明の実施の形態に係る第一配線配置部材または第二配線配置部材の構成を示す平面図である。
【図７】図７は、本発明の実施の形態に係る配線配置部材に、第一コネクタ保持部材、第二コネクタ保持部材及び閉止部材が取り付けられる構成を示す斜視図である。
【図８】図８は、本発明の実施の形態に係る第一コネクタ保持部材の構成を示す斜視図である。
【図９】図９は、本発明の実施の形態に係る第二コネクタ保持部材の構成を示す斜視図である。
【図１０】図１０は、本発明の実施の形態に係る配線配置部材上に配置される配線の経路を示す平面図である。
【図１１】図１１は、本発明の実施の形態の変形例１に係る配線配置部材に、第一コネクタ保持部材、第二コネクタ保持部材及び閉止部材が取り付けられる構成を示す斜視図である。
【図１２】図１２は、本発明の実施の形態の変形例２に係る配線配置部材に、第一コネクタ保持部材、第二コネクタ保持部材及び閉止部材が取り付けられる構成を示す斜視図である。
【発明を実施するための形態】
【０００９】
上記目的を達成するために、本発明の一態様に係る蓄電装置は、複数の蓄電素子を備える蓄電装置であって、前記蓄電素子同士を接続するバスバーと、配線と、複数のガイド部を有する配線配置部材と、コネクタ保持部材とを備え、前記複数のガイド部のうちの一部のガイド部は、前記コネクタ保持部材を位置決めし、前記複数のガイド部のうちの他の一部のガイド部は、前記配線の経路を形成する。
【００１０】
これによれば、蓄電装置は、複数のガイド部を有する配線配置部材とコネクタ保持部材とを備えており、一部のガイド部はコネクタ保持部材を位置決めし、他の一部のガイド部は配線の経路を形成する。つまり、ガイド部は、配線の経路を形成する機能と、コネクタ保持部材を位置決めする機能とを兼ね備えている。このため、ガイド部を形成することで、配線の経路を形成する部位と、コネクタ保持部材を位置決めする部位との２種類の部位を形成する必要がないため、配線を配置する際の構成を簡素化することができる。
【００１１】
また、前記複数のガイド部は、第一ガイド部と第二ガイド部とを有し、前記配線配置部材は、前記第一ガイド部を有する第一配線配置部材と、前記第二ガイド部を有する第二配線配置部材とを有し、前記第一配線配置部材と前記第二配線配置部材との境界を挟んで対向する前記第一ガイド部と前記第二ガイド部とによって前記配線の経路が形成されることにしてもよい。
【００１２】
これによれば、第一配線配置部材の第一ガイド部と、第二配線配置部材の第二ガイド部とによって、配線の経路が形成される。つまり、２つの配線配置部材のガイド部を用いることで、別部材を用いることなく、２つの配線配置部材の間に容易に配線を通すことができる。
【００１３】
また、前記複数のガイド部のそれぞれは、上方へ突出する複数の突出部を有することにしてもよい。
【００１４】
これによれば、ガイド部は、複数の突出部によって、コネクタ保持部材を位置決めし、また、配線の経路を形成することができる。
【００１５】
また、前記コネクタ保持部材は、コネクタが取り付けられた第一コネクタ保持部材と、前記第一コネクタ保持部材と同一形状であって、コネクタを取り付け可能な開口がカバー部材で閉塞された第二コネクタ保持部材とを有することにしてもよい。
【００１６】
これによれば、蓄電装置は、コネクタが取り付けられた第一コネクタ保持部材と、第一コネクタ保持部材と同一形状の、コネクタ取付口が閉塞された第二コネクタ保持部材とを有している。つまり、コネクタを配置しない側にも同一形状のコネクタ保持部材を使用することで、蓄電装置の構成を簡素化することができる。
【００１７】
また、前記第一コネクタ保持部材は、前記配線配置部材の一端部に設けられたガイド部に位置決めされ、前記第二コネクタ保持部材は、前記配線配置部材の他端部に設けられたガイド部に位置決めされることにしてもよい。
【００１８】
これによれば、第一コネクタ保持部材は、配線配置部材の一端部に設けられたガイド部に位置決めされ、第二コネクタ保持部材は、配線配置部材の他端部に設けられたガイド部に位置決めされる。つまり、一方のガイド部に第一コネクタ保持部材を位置決めする機能、他方のガイド部に第二コネクタ保持部材を位置決めする機能を兼ねさせることで、蓄電装置の構成を簡素化することができる。
【００１９】
また、さらに、前記配線配置部材上に配置される蓋体を備え、前記複数のガイド部のうちの少なくとも１つのガイド部の先端と前記蓋体とは、接触している、又は、近接して対向していることにしてもよい。
【００２０】
これによれば、ガイド部の先端と蓋体とが接触又は近接して対向しているため、ガイド部に配置される配線が、ガイド部を飛び越えてガイド部から外れることを抑制することができる。
【００２１】
また、前記配線配置部材は、前記蓄電素子上に配置され、前記蓄電素子を下方に向けて押さえ込む押さえ部材であることにしてもよい。
【００２２】
これによれば、蓄電素子の押さえ部材を配線配置部材として活用することで、蓄電装置の構成を簡素化することができる。
【００２３】
また、前記コネクタ保持部材には、前記複数のガイド部のうちの少なくとも１つのガイド部が挿入される貫通孔が形成されていることにしてもよい。
【００２４】
これによれば、コネクタ保持部材には、ガイド部が挿入される貫通孔が形成されているため、容易に、コネクタ保持部材にガイド部を取り付けることができる。
【００２５】
また、前記コネクタ保持部材は、外面が前記蓄電装置の外装体の外面と同一平面上に配置されることにしてもよい。
【００２６】
これによれば、コネクタ保持部材と外装体とは外面が同一平面上に配置されるため、コネクタ保持部材と外装体との外面を覆うカバーを取り付けやすい。
【００２７】
また、前記複数のガイド部は、回転対称の位置に配置されることにしてもよい。
【００２８】
これによれば、複数のガイド部が、回転対称の位置に配置されているため、ガイド部が設けられた部材を取り付ける際に、取付方向を間違うのを抑制することができる。
【００２９】
また、さらに、前記コネクタに接続された配線が接続される第一基板と、前記蓄電素子に接続された配線が接続される第二基板とを備え、前記第一基板と前記第二基板とは、離隔して配置されることにしてもよい。
【００３０】
これによれば、蓄電素子に接続された配線が接続される第一基板と、コネクタに接続された配線が接続される第二基板とが、離隔して配置されている。ここで、蓄電素子に接続される配線は、電圧測定用配線などの高電圧の配線であり、コネクタに接続される配線は、通信用配線（制御用配線）などの低電圧の配線である。このため、低電圧の配線が接続されている第二基板を、高電圧の配線が接続されている第一基板から離隔して配置することで、低電圧の配線を高電圧の配線から容易に絶縁することができ、配線を配置する際の構成を簡素化することができる。
【００３１】
また、前記第一基板と前記第二基板とは、前記配線配置部材が有する異なる部材に配置されることにしてもよい。
【００３２】
これによれば、第二基板を第一基板と異なる部材に配置することで、低電圧の配線を高電圧の配線からさらに容易に絶縁することができる。
【００３３】
以下、図面を参照しながら、本発明の実施の形態に係る蓄電装置について説明する。なお、以下で説明する実施の形態は、いずれも本発明の好ましい一具体例を示すものである。以下の実施の形態で示される数値、形状、材料、構成要素、構成要素の配置位置及び接続形態などは、一例であり、本発明を限定する主旨ではない。また、以下の実施の形態における構成要素のうち、最上位概念を示す独立請求項に記載されていない構成要素については、任意の構成要素として説明される。また、添付の図面における各図は、模式的な図であり、必ずしも厳密に図示されたものでない。さらに、各図において、同一または同様な構成要素については同じ符号を付している。
【００３４】
（実施の形態）
まず、蓄電装置１の構成について、説明する。
【００３５】
図１は、本発明の実施の形態に係る蓄電装置１の外観を示す斜視図である。また、図２は、本発明の実施の形態に係る蓄電装置１を分解した場合の各構成要素を示す分解斜視図である。
【００３６】
なお、これらの図では、Ｚ軸方向を上下方向として示しており、以下ではＺ軸方向を上下方向として説明するが、使用態様によってはＺ軸方向が上下方向にならない場合も考えられるため、Ｚ軸方向は上下方向となることには限定されない。以下の図においても、同様である。
【００３７】
蓄電装置１は、外部からの電気を充電し、また外部へ電気を放電することができる装置である。例えば、蓄電装置１は、自動車用電源や、電子機器用電源、電力貯蔵用電源などに使用される電池モジュールである。
【００３８】
これらの図に示すように、蓄電装置１は、２つの単位モジュール１１及び１２を有するモジュール群１０、下側連結部材２０及び上側連結部材３０を備えている。なお、蓄電装置１は、１つの単位モジュールしか備えていない構成や、３つ以上の単位モジュールを備えている構成でもかまわない。
【００３９】
モジュール群１０は、Ｙ軸方向に並ぶ２つの単位モジュール１１及び１２を備えている。また、単位モジュール１１には、正極外部端子１１ａと負極外部端子１１ｂとが設けられている。蓄電装置１は、この正極外部端子１１ａと負極外部端子１１ｂとを介して、外部からの電気を充電し、また外部へ電気を放電する。
【００４０】
単位モジュール１１及び１２は、１以上の蓄電素子をモジュールケース１４に収容した矩形状のモジュールであり、それぞれ同様の構成を有している。また、単位モジュール１１及び１２内の蓄電素子の正極端子と負極端子とが電気的に接続されることで、単位モジュール１１及び１２内の全ての蓄電素子が直列に接続されている。なお、モジュール群１０の詳細な構成についての説明は、後述する。
【００４１】
なお、単位モジュール１１及び１２には、蓄電素子のガス排出弁から放出されたガスを排出する排出部１３がそれぞれ形成されている。排出部１３は、単位モジュール１１及び１２のＸ軸方向（蓄電素子の配列方向）の端部に設けられた矩形状の開口である。同図では、排出部１３は、蓄電装置１の長手方向と交差する方向（具体的には、長手方向と直交する短手方向）の端部に設けられている。つまり、排出部１３は、正極外部端子１１ａ及び負極外部端子１１ｂが配置されない側に配置されており、これらの外部端子側へ影響を及ぼさない構成となっている。
【００４２】
下側連結部材２０及び上側連結部材３０は、２つの単位モジュール１１及び１２を連結する部材であり、下側連結部材２０は、下側の連結部材、上側連結部材３０は、上側の連結部材である。つまり、下側連結部材２０と上側連結部材３０とで単位モジュール１１及び１２を挟み込むように固定することで、単位モジュール１１及び１２を連結する。
【００４３】
具体的には、下側連結部材２０及び上側連結部材３０は、例えば金属などの平板状の部材によって構成されている。これにより、単位モジュール１１及び１２を強固に安定して固定することができる。また、下側連結部材２０には、２つの単位モジュール１１及び１２のそれぞれが有するモジュールケース１４が載置される。
【００４４】
次に、モジュール群１０の詳細な構成について、説明する。
【００４５】
図３は、本発明の実施の形態に係るモジュール群１０の内部の各構成要素を示す斜視図である。具体的には、同図は、モジュール群１０から蓋体８００を分離して内部構成を示した図である。また、図４は、本発明の実施の形態に係るモジュール群１０を分解した場合の各構成要素を示す分解斜視図である。
【００４６】
これらの図に示すように、モジュール群１０が備える単位モジュール１１及び１２のそれぞれは、ケース本体１００と蓋体８００とからなるモジュールケース１４（図２参照）、及び、モジュールケース１４に収容される複数の蓄電素子２００（本実施の形態では６つの蓄電素子２００）と配線配置部材３００とを備えている。また、モジュールケース１４の内方または単位モジュール１１及び１２の間を跨ぐように、バスバー４００が配置されている。
【００４７】
また、単位モジュール１１の配線配置部材３００（第一配線配置部材３０１）上には、第一基板５１０及びコネクタ保持部材６００（第一コネクタ保持部材６０１）が配置されている。また、単位モジュール１２の配線配置部材３００（第二配線配置部材３０２）上には、第二基板５２０、コネクタ保持部材６００（第二コネクタ保持部材６０２）及び閉止部材７００が配置されている。なお、配線配置部材３００上には、第一基板５１０と第二基板５２０とコネクタ保持部材６００と蓄電素子２００の電極端子との間を繋ぐ配線が配置されているが、省略して図示している。
【００４８】
ケース本体１００と蓋体８００とからなるモジュールケース１４は、単位モジュール１１、１２の外装体を構成する矩形状（箱状）の容器である。モジュールケース１４は、複数の蓄電素子２００や基板（第一基板５１０、第二基板５２０）などを所定の位置に配置し、複数の蓄電素子２００や基板などを衝撃などから保護する。また、モジュールケース１４は、例えばポリカーボネート等の樹脂などの絶縁性の材料により構成されており、蓄電素子２００や基板などが外部の金属部材などに接触することを回避する。
【００４９】
ここで、ケース本体１００は、モジュールケース１４の本体を構成する有底矩形筒状の部材である。蓋体８００は、モジュールケース１４の蓋を構成する部材であり、ケース本体１００の上部の開口を塞ぐ扁平な矩形状の部材である。具体的には、ケース本体１００内方に、複数の蓄電素子２００、配線配置部材３００、バスバー４００等の順に配置され、配線配置部材３００上に蓋体８００が配置されて、ケース本体１００の開口部が蓋体８００で閉止される。
【００５０】
蓄電素子２００は、電気を充電し、また、電気を放電することのできる二次電池（単電池）であり、より具体的には、リチウムイオン二次電池などの非水電解質二次電池である。なお、蓄電素子２００は、非水電解質二次電池には限定されず、非水電解質二次電池以外の二次電池であってもよいし、キャパシタであってもよく、さらに、使用者が充電をしなくても蓄えられている電気を使用できる一次電池であってもよい。本実施の形態では、６個の蓄電素子２００がＸ軸方向に並べられて、モジュールケース１４内に収容されている。なお、モジュールケース１４内に収容される蓄電素子２００は、６個以外でもよく、例えば１個の蓄電素子２００しか収容されていない構成でもかまわない。また、単位モジュール１１、１２に異なる数の蓄電素子２００が配置されていてもよい。
【００５１】
具体的には、蓄電素子２００は、容器２１０、正極端子２２０及び負極端子２３０を備えている。また、容器２１０内方には、電極体（蓄電要素または発電要素とも呼ぶ）、正極集電体及び負極集電体、電解液などが収容されているが、図示は省略する。
【００５２】
容器２１０は、金属からなる矩形筒状で底を備える筐体本体と、当該筐体本体の開口を閉塞する金属製の容器蓋部とで構成されている。なお、容器２１０の材質は、特に限定されないが、例えばステンレス鋼など溶接可能な金属であるのが好ましい。また、正極端子２２０は、正極集電体を介して、電極体の正極に電気的に接続された電極端子であり、負極端子２３０は、負極集電体を介して、電極体の負極に電気的に接続された電極端子である。
【００５３】
バスバー４００は、配線配置部材３００の上方に配置される金属など導電性の部材であり、複数の蓄電素子２００同士を電気的に接続する。具体的には、バスバー４００は、隣接する蓄電素子２００において、１の蓄電素子２００の正極端子２２０または負極端子２３０と、他の蓄電素子２００の負極端子２３０または正極端子２２０とを接続する。
【００５４】
具体的には、正極外部端子１１ａ側に配置された蓄電素子２００の正極端子２２０が当該正極外部端子１１ａと接続され、当該蓄電素子２００の負極端子２３０は、バスバー４００を介して、隣接する蓄電素子２００の正極端子２２０と接続される。また同様に、負極外部端子１１ｂ側に配置された蓄電素子２００の負極端子２３０が当該負極外部端子１１ｂと接続され、当該蓄電素子２００の正極端子２２０は、バスバー４００を介して、隣接する蓄電素子２００の負極端子２３０と接続される。また、その他の蓄電素子２００の正極端子２２０または負極端子２３０は、バスバー４００を介して、隣接する蓄電素子２００の負極端子２３０または正極端子２２０と接続される。
【００５５】
配線配置部材３００は、複数の蓄電素子２００の上方に配置される扁平な矩形状の部材であり、当該複数の蓄電素子２００に接続された配線が配置される。配線配置部材３００は、例えば樹脂などの絶縁性の材料により構成されている。また、配線配置部材３００は、ケース本体１００内での複数の蓄電素子２００の位置を規制し、複数の蓄電素子２００をケース本体１００に固定する部材でもある。つまり、配線配置部材３００は、ケース本体１００の内方に嵌め込まれ、複数の蓄電素子２００を上方から下方に向けて押さえ込む押さえ部材（内蓋）としての機能も有する。
【００５６】
ここで、配線配置部材３００は、同一形状の第一配線配置部材３０１と第二配線配置部材３０２とを有している。第一配線配置部材３０１は、単位モジュール１１に備えられる配線配置部材であり、第一配線配置部材３０１には、第一基板５１０が載置されるとともに、第一コネクタ保持部材６０１が取り付けられる。また、第二配線配置部材３０２は、単位モジュール１２に備えられる配線配置部材であり、第二配線配置部材３０２には、第二基板５２０が載置されるとともに、第二コネクタ保持部材６０２及び閉止部材７００が取り付けられる。
【００５７】
このように、配線配置部材３００は、基板（第一基板５１０、第二基板５２０）を載置する載置台、及び、コネクタ保持部材６００（第一コネクタ保持部材６０１、第二コネクタ保持部材６０２）及び閉止部材７００を取り付ける取付台としても機能する。配線配置部材３００の詳細な構成についての説明は、後述する。
【００５８】
第一基板５１０は、外部機器との通信を行うための回路が搭載された矩形状の基板（通信基板）である。具体的には、第一基板５１０は、第一コネクタ保持部材６０１に保持されたコネクタ９１０と配線（通信用配線）で接続されており、コネクタ９１０が外部機器と接続されることで、外部機器との通信を行う。
【００５９】
ここで、第一基板５１０は、単位モジュール１１及び１２のうちの、コネクタを保持しているコネクタ保持部材（第一コネクタ保持部材６０１）が備えられる単位モジュールである単位モジュール１１に配置されている。具体的には、第一基板５１０は、単位モジュール１１の第一配線配置部材３０１上に配置され、かつ、単位モジュール１１の蓋体８００に覆われるように配置されている。さらに具体的には、第一基板５１０は、第一配線配置部材３０１上の、単位モジュール１１が備える複数の蓄電素子２００それぞれの正極端子２２０と負極端子２３０との間のスペースに配置されている。このように、第一基板５１０は、単位モジュール１１の第一配線配置部材３０１と蓋体８００とで挟まれることで、第一配線配置部材３０１と蓋体８００とに保護されるように配置されている。
【００６０】
第二基板５２０は、モジュール群１０が備える複数の蓄電素子２００の充電状態や放電状態（電圧、温度などの電池状態）などを取得し、監視するための回路が搭載された矩形状の基板（監視基板）である。具体的には、第二基板５２０は、当該複数の蓄電素子２００の電極端子に配線（電圧測定用配線や温度測定用配線）で接続されることで、蓄電素子２００の電圧や温度等を取得し、監視する。
【００６１】
ここで、第二基板５２０は、単位モジュール１１及び１２のうちの、コネクタを保持していないコネクタ保持部材（第二コネクタ保持部材６０２）が備えられる単位モジュールである単位モジュール１２に配置されている。具体的には、第二基板５２０は、単位モジュール１２の第二配線配置部材３０２上に配置され、かつ、単位モジュール１２の蓋体８００に覆われるように配置されている。さらに具体的には、第二基板５２０は、第二配線配置部材３０２上の、単位モジュール１２が備える複数の蓄電素子２００それぞれの正極端子２２０と負極端子２３０との間のスペースに配置されている。このように、第二基板５２０は、単位モジュール１２の第二配線配置部材３０２と蓋体８００とで挟まれることで、第二配線配置部材３０２と蓋体８００とに保護されるように配置されている。
【００６２】
また、第二基板５２０は、配線で第一基板５１０とも接続されており、取得した蓄電素子２００の電圧や温度等の情報を第一基板５１０へ送る。なお、第一基板５１０と第二基板５２０とを接続する配線は高電圧の配線であるが、第一基板５１０上に、当該配線と、第一基板５１０に接続される通信用配線とを絶縁するフォトカプラ等の部品が実装されている。
【００６３】
以上のように、第一基板５１０と第二基板５２０とは、配線配置部材３００が有する異なる部材である第一配線配置部材３０１と第二配線配置部材３０２とにそれぞれ配置されている。つまり、第一基板５１０と第二基板５２０とは、離隔して配置されている。なお、本実施の形態では、第一基板５１０は、第二基板５２０よりも小さく形成されているが、第一基板５１０及び第二基板５２０の大きさは特に限定されない。また、第一基板５１０及び第二基板５２０の形状も特に限定されず、矩形状以外の形状でもかまわない。
【００６４】
コネクタ保持部材６００は、コネクタを保持する部材（コネクタマウント）であり、配線配置部材３００の端部に取り付けられる。ここで、コネクタ保持部材６００は、第一コネクタ保持部材６０１と第二コネクタ保持部材６０２とを有している。第一コネクタ保持部材６０１は、コネクタ９１０を保持しているコネクタ保持部材であり、第一配線配置部材３０１のＹ軸方向マイナス側の端部に取り付けられている。第二コネクタ保持部材６０２は、コネクタが取り付けられていないコネクタ保持部材であり、第二配線配置部材３０２のＹ軸方向プラス側の端部に取り付けられている。コネクタ保持部材６００は、例えば樹脂などの絶縁性の材料により形成されている。
【００６５】
ここで、コネクタ保持部材６００は、外面（主面）が、蓄電装置１の外装体であるモジュールケース１４の外面（側面）と同一平面上に（面一に）配置される。つまり、第一コネクタ保持部材６０１のＹ軸方向マイナス側の外面（図８のコネクタ取付部６２０の外面）と、単位モジュール１１のモジュールケース１４（ケース本体１００及び蓋体８００）のＹ軸方向マイナス側の外面とが、同一平面上に配置されている。また、第二コネクタ保持部材６０２のＹ軸方向プラス側の外面（図９のコネクタ取付部６２０の外面）と、単位モジュール１２のモジュールケース１４（ケース本体１００及び蓋体８００）のＹ軸方向プラス側の外面とが、同一平面上に配置されている。なお、第一コネクタ保持部材６０１及び第二コネクタ保持部材６０２の詳細な構成についての説明は、後述する。
【００６６】
閉止部材７００は、配線配置部材３００の端部に着脱可能に取り付けられ、当該端部に形成された開口を閉塞する矩形状かつ平板状の部材である。閉止部材７００は、例えば樹脂などの絶縁性の材料により形成されている。なお、本実施の形態では、第一コネクタ保持部材６０１、第二コネクタ保持部材６０２及び閉止部材７００は、配線配置部材３００と同じ材質で形成されているが、いずれかの部材が異なる材質で形成されていてもかまわない。
【００６７】
次に、配線配置部材３００の構成（つまり、第一配線配置部材３０１及び第二配線配置部材３０２の構成）について、詳細に説明する。
【００６８】
図５は、本発明の実施の形態に係る第一配線配置部材３０１（または第二配線配置部材３０２）の外観を示す斜視図である。また、図６は、本発明の実施の形態に係る第一配線配置部材３０１（または第二配線配置部材３０２）の構成を示す平面図である。具体的には、図６は、図５に示された第一配線配置部材３０１（または第二配線配置部材３０２）を上方（Ｚ軸方向プラス側）から見た場合の平面図である。
【００６９】
これらの図に示すように、第一配線配置部材３０１は、対向する両端部（Ｙ軸方向の両端部）に、それぞれ、第一ガイド部３１１が一体に設けられた矩形状の部材である。本実施の形態では、第一配線配置部材３０１のＹ軸方向プラス側の端部の中央部分に、Ｘ軸方向に並ぶ３つの第一ガイド部３１１が形成されている。また、第一配線配置部材３０１のＹ軸方向マイナス側の端部の中央部分にも、Ｘ軸方向に並ぶ３つの第一ガイド部３１１が形成されている。なお、第一ガイド部３１１の個数及び配置位置は、上記以外であってもかまわない。
【００７０】
第一ガイド部３１１は、上方へ突出する複数の突出部から構成される部位であり、当該突出部の間に配線が配置可能な構成となっている。つまり、第一ガイド部３１１は、蓄電素子２００に接続される配線の経路を形成する機能を有している。なお、本実施の形態では、第一ガイド部３１１は、一対の矩形状かつ平板状の突出部から構成されており、当該一対の突出部の間に配線が配置可能な構成となっているが、突出部の個数及び形状は上記には限定されない。
【００７１】
ここで、図５の点線枠内に、第一配線配置部材３０１に蓋体８００を配置した場合の、第一ガイド部３１１の位置における断面図を示している。この図に示すように、第一ガイド部３１１は、一対の突出部が、蓋体８００に当接する高さにまで上方に延設されて形成されている。なお、第一ガイド部３１１の当該突出部は、蓋体８００に当接しない程度の高さに形成されてもよいが、蓋体８００との間の隙間が１ｃｍ程度、好ましくは５ｍｍ程度など、ほぼ当接する程度の高さに形成されているのが好ましい。なお、全ての第一ガイド部３１１が上記構成になっていなくてもよく、一部の第一ガイド部３１１が上記構成になっていればよい。つまり、複数の第一ガイド部３１１のうちの少なくとも１つの第一ガイド部３１１の先端と蓋体８００とは、接触している、又は、近接して対向している。
【００７２】
この構成により、第一ガイド部３１１の一対の突出部の間に配置される配線が、第一ガイド部３１１から外れることを抑制することができる。つまり、当該配線は、必ずしもやわらかくないため第一ガイド部３１１を飛び越える可能性があるが、第一ガイド部３１１の突出部の高さが蓋体８００の近くまであるために、当該配線が第一ガイド部３１１を飛び越えることを抑制することができる。
【００７３】
また、第一ガイド部３１１の高さは、例えば、配線の線径の５倍以上の高さを有している。これによっても、当該配線が第一ガイド部３１１を飛び越えて外れることを抑制することができる。
【００７４】
また、第一配線配置部材３０１の対向する両端部（Ｙ軸方向の両端部）には、それぞれ、１つの開口部３２１と、当該開口部３２１を挟む位置に配置された２つの開口部３３１とが形成されている。開口部３２１は、３つの第一ガイド部３１１を覆うように形成された大きな矩形状の開口であり、コネクタ保持部材６００またはバスバー４００が配置可能な構成となっている。開口部３３１は、当該３つの第一ガイド部３１１の両側（Ｘ軸方向の両側）に形成された小さな矩形状の開口であり、正極外部端子１１ａ、負極外部端子１１ｂ、バスバー４００または閉止部材７００が配置可能な構成となっている。
【００７５】
また、第一配線配置部材３０１の中央部分には、基板を載置し固定するための複数の突起３４１が形成されている。本実施の形態では、６つの突起３４１が形成されているが、第一配線配置部材３０１には比較的大きさが小さい第一基板５１０が載置されるため、４つの突起３４１が使用される。つまり、第一基板５１０の四隅の貫通孔に４つの突起３４１が挿入されて、第一基板５１０が第一配線配置部材３０１の中央部分に固定される。
【００７６】
また、第一配線配置部材３０１には、蓄電素子２００の電極端子に接続された配線を当該電極端子から導く仕切壁３５１及び３５２が設けられている。仕切壁３５１及び３５２は、蓄電素子２００の各電極端子に対応して、当該電極端子が配置される位置と基板が配置される位置との間に配置される開口を形成する壁である。ここで、仕切壁３５２は、第一配線配置部材３０１の対向する角部に位置する電極端子に対応して配置されており、仕切壁３５１は、その角部の電極端子以外の電極端子に対応して配置されている。
【００７７】
仕切壁３５１は、第一配線配置部材３０１の端部から中央部に向かう方向（Ｙ軸方向）に貫通した開口を形成する壁である。また、仕切壁３５２は、第一配線配置部材３０１の角部から中央部に向かう方向（例えばＹ軸方向から３０°傾斜した方向）に貫通した開口を形成する壁である。このような構成により、複数の仕切壁３５１及び３５２は、第一配線配置部材３０１の中心まわりに回転させたときに回転対称（中心に対して点対称）の位置に配置されている。なお、第一ガイド部３１１（または第二ガイド部３１２）についても同様に、当該回転対称の位置に配置されている。つまり、第一配線配置部材３０１は、中心まわりに回転させたときに回転対称（中心に対して点対称）となる構成を有している。
【００７８】
また、第一配線配置部材３０１には、上述した排出部１３が設けられている。排出部１３は、第一配線配置部材３０１の第一ガイド部３１１が配置されていない側の端部に設けられている。この排出部１３によって、蓄電素子２００のガス排出弁から放出されたガスを蓄電装置１の外方へ排出することができる。
【００７９】
また、第二配線配置部材３０２についても、第一配線配置部材３０１と同様の構成を有している。つまり、第二配線配置部材３０２は、第一ガイド部３１１と同様の構成を有する第二ガイド部３１２を備えている。また、第二配線配置部材３０２には、開口部３２１、３３１と同様の構成を有する開口部３２２、３３２が形成されている。また、第二配線配置部材３０２には、突起３４１と同様の構成を有する突起３４２が形成されている。なお、第二配線配置部材３０２には第二基板５２０が載置されるため、第二基板５２０の６つの貫通孔に６つの突起３４２が挿入されて、第二基板５２０が第二配線配置部材３０２の中央部分に固定される。また、第二配線配置部材３０２は、仕切壁３５１及び３５２と同様の構成を有する仕切壁３５３及び３５４を備えている。
【００８０】
また、第一ガイド部３１１は、第一コネクタ保持部材６０１を第一配線配置部材３０１に取り付ける際に、第一コネクタ保持部材６０１を第一配線配置部材３０１上で位置決めする機能も有している。同様に、第二ガイド部３１２は、第二コネクタ保持部材６０２を第二配線配置部材３０２に取り付ける際に、第二コネクタ保持部材６０２を第二配線配置部材３０２上で位置決めする機能も有している。つまり、これら複数のガイド部のうちの一部のガイド部は、コネクタ保持部材を位置決めし、当該複数のガイド部のうちの他の一部のガイド部は、配線の経路を形成する。これについて、以下に詳細に説明する。
【００８１】
図７は、本発明の実施の形態に係る配線配置部材３００（第一配線配置部材３０１及び第二配線配置部材３０２）に、第一コネクタ保持部材６０１、第二コネクタ保持部材６０２及び閉止部材７００が取り付けられる構成を示す斜視図である。
【００８２】
同図に示すように、コネクタ保持部材６００は、配線配置部材３００のガイド部に位置決めされて、配線配置部材３００に着脱可能に取り付けられる。具体的には、配線配置部材３００は、当該ガイド部として第一ガイド部３１１を有する第一配線配置部材３０１と、当該ガイド部として第二ガイド部３１２を有する第二配線配置部材３０２とを有している。そして、第一コネクタ保持部材６０１は、第一配線配置部材３０１の開口部３２１に挿入され、第一ガイド部３１１に位置決めされて、第一配線配置部材３０１に着脱可能に取り付けられる。また、第二コネクタ保持部材６０２は、第二配線配置部材３０２の開口部３２２に挿入され、第二ガイド部３１２に位置決めされて、第二配線配置部材３０２に着脱可能に取り付けられる。
【００８３】
ここで、第一コネクタ保持部材６０１は、第一配線配置部材３０１のＹ軸方向マイナス側の端部（配線配置部材３００のＹ軸方向マイナス側の端部）の第一ガイド部３１１に位置決めされる。また、第二コネクタ保持部材６０２は、第二配線配置部材３０２のＹ軸方向プラス側の端部（配線配置部材３００のＹ軸方向プラス側の端部）の第二ガイド部３１２に位置決めされる。つまり、配線配置部材３００は、対向する両端部（Ｙ軸方向の両端部）にガイド部（第一ガイド部３１１及び第二ガイド部３１２）が一体に設けられた矩形状の部材であると言える。そして、第一コネクタ保持部材６０１は、配線配置部材３００の一端部（Ｙ軸方向マイナス側の端部）に設けられたガイド部（第一ガイド部３１１）に位置決めされる。また、第二コネクタ保持部材６０２は、配線配置部材３００の他端部（Ｙ軸方向プラス側の端部）に設けられたガイド部（第二ガイド部３１２）に位置決めされる。
【００８４】
また、第一配線配置部材３０１のＹ軸方向プラス側の端部の第一ガイド部３１１と、第二配線配置部材３０２のＹ軸方向マイナス側の端部の第二ガイド部３１２とは、隣り合う位置に配置される。そして、この隣り合った第一ガイド部３１１と第二ガイド部３１２とで、直線状の配線の経路が形成される。このように、第一配線配置部材３０１と第二配線配置部材３０２との境界を挟んで対向する第一ガイド部３１１と第二ガイド部３１２とによって配線の経路が形成される。
【００８５】
また、第一配線配置部材３０１のＹ軸方向プラス側の開口部３２１及び３３１と、第二配線配置部材３０２のＹ軸方向マイナス側の開口部３２２及び３３２とは、隣り合う位置に配置される。そして、この隣り合った開口部３２１及び３３１と開口部３２２及び３３２とに跨って、バスバー４００が配置される。
【００８６】
また、第二配線配置部材３０２のＹ軸方向プラス側の２つの開口部３３２には、閉止部材７００がそれぞれ着脱可能に挿入されて配置される。なお、第一配線配置部材３０１のＹ軸方向マイナス側の２つの開口部３３１には、正極外部端子１１ａと負極外部端子１１ｂとがそれぞれ挿入されて配置される。つまり、閉止部材７００は、正極外部端子１１ａ、負極外部端子１１ｂ及びバスバー４００が挿入されない開口部３３１または３３２を閉止するための部材である。
【００８７】
次に、コネクタ保持部材６００（第一コネクタ保持部材６０１及び第二コネクタ保持部材６０２）の構成について、詳細に説明する。
【００８８】
図８は、本発明の実施の形態に係る第一コネクタ保持部材６０１の構成を示す斜視図である。また、図９は、本発明の実施の形態に係る第二コネクタ保持部材６０２の構成を示す斜視図である。
【００８９】
まず、図８に示すように、第一コネクタ保持部材６０１は、底壁部６１０と、コネクタ取付部６２０と、側壁部６３０とを有している。
【００９０】
底壁部６１０は、第一コネクタ保持部材６０１の底部に配置される平板状の部位であり、配線配置部材３００のガイド部が挿入される矩形状の貫通孔であるガイド部挿入口６１１が形成されている。つまり、底壁部６１０のガイド部挿入口６１１に、第一配線配置部材３０１の第一ガイド部３１１が挿入されることで、第一コネクタ保持部材６０１が第一配線配置部材３０１に着脱可能に取り付けられる。本実施の形態では、Ｘ軸方向に並ぶ３つの第一ガイド部３１１が有する６つの突出部に対応して、Ｘ軸方向に並ぶ６つのガイド部挿入口６１１が形成されている。なお、本実施の形態では、ガイド部挿入口６１１には、配線配置部材３００の複数のガイド部が挿入されるが、１つのガイド部しか挿入されない構成でもよい。
【００９１】
また、コネクタ取付部６２０は、第一コネクタ保持部材６０１の前面に配置される矩形状かつ平板状の部位であり、コネクタ９１０を取り付け可能な矩形状の貫通孔であるコネクタ取付口６２１が形成されている。つまり、コネクタ取付部６２０のコネクタ取付口６２１にコネクタ９１０が取り付けられることで、第一コネクタ保持部材６０１にコネクタ９１０が着脱可能に取り付けられる。本実施の形態では、２つのコネクタ９１０に対応して、Ｘ軸方向に並ぶ２つのコネクタ取付口６２１が形成されている。
【００９２】
また、側壁部６３０は、コネクタ９１０に接続された配線を案内する曲面形状の壁部である。つまり、コネクタ９１０から延びる配線が第一基板５１０に接続される際に、曲面形状の側壁部６３０に沿って配線される。
【００９３】
なお、コネクタ９１０には、蓄電装置１の外部の配線が接続されることで、蓄電装置１の内部と外部とが接続される。例えば、コネクタ９１０は、蓄電装置１の外部の配線からの電気信号を内部の配線へ伝える入力用のコネクタと、蓄電装置１の内部の配線からの電気信号を外部の配線へ伝える出力用のコネクタとを有している。この場合、２つのコネクタ９１０は、同じ形状であってもよいし、異なる形状であってもよい。なお、第一コネクタ保持部材６０１に１つのコネクタ９１０しか取り付けられない場合には、コネクタ９１０が取り付けられないコネクタ取付口６２１には後述のカバー部材９２０が取り付けられることにしてもよい。
【００９４】
また、図９に示すように、第二コネクタ保持部材６０２は、第一コネクタ保持部材６０１と同様の構成を有している。つまり、第二コネクタ保持部材６０２は、第一コネクタ保持部材６０１と同様に、底壁部６１０と、コネクタ取付部６２０と、側壁部６３０とを有している。
【００９５】
また、底壁部６１０には、ガイド部挿入口６１１が形成されており、ガイド部挿入口６１１に、第二配線配置部材３０２の第二ガイド部３１２が挿入されることで、第二コネクタ保持部材６０２が第二配線配置部材３０２に着脱可能に取り付けられる。また、コネクタ取付部６２０には、コネクタ取付口６２１が形成されている。なお、本実施の形態では、コネクタ取付口６２１にはコネクタ９１０が取り付けられないため、２つのコネクタ取付口６２１には、２つのカバー部材９２０がそれぞれ取り付けられる。このように、第二コネクタ保持部材６０２は、第一コネクタ保持部材６０１と同一形状であって、コネクタが取り付けられる開口がカバー部材９２０で閉塞された部材である。
【００９６】
次に、配線配置部材３００（第一配線配置部材３０１及び第二配線配置部材３０２）上に配置される配線の経路について、詳細に説明する。
【００９７】
図１０は、本発明の実施の形態に係る配線配置部材３００（第一配線配置部材３０１及び第二配線配置部材３０２）上に配置される配線の経路を示す平面図である。具体的には、同図は、図３に示したモジュール群１０から蓋体８００を分離した状態を上方（Ｚ軸方向プラス側）から見た場合の平面図である。
【００９８】
同図に示すように、２つのコネクタ９１０に配線９１１、９１２が接続され、この配線９１１、９１２は、第一コネクタ保持部材６０１を通って、第一基板５１０に接続される。この際、配線９１１、９１２は、第一ガイド部３１１の突出部の間、及び、仕切壁３５１の壁の間を通る。つまり、この場合、第一ガイド部３１１及び仕切壁３５１は、配線経路の一部として機能している。ここで、例えば、配線９１１は入力用の通信用配線、配線９１２は出力用の通信用配線である。
【００９９】
また、単位モジュール１１内に配置された蓄電素子２００の正極端子２２０に、接続部材４１０を介して配線４１１が接続される。なお、同図では、１つの正極端子２２０に配線４１１が接続される構成を示しているが、本実施の形態では、全て（６個）の正極端子２２０に接続部材４１０が接続され、それぞれの接続部材４１０を介して配線４１１が接続されているものとする。なお、全ての正極端子２２０に配線４１１が接続されていることには限定されず、少なくとも１つの正極端子２２０に配線４１１が接続されていればよい。ここで、例えば、配線４１１は電圧測定用配線である。
【０１００】
また、負極外部端子１１ｂ側の負極端子２３０に、接続部材４２０を介して配線４２１が接続される。つまり、蓄電装置１の電圧を測定するために、正極外部端子１１ａ側の正極端子２２０のみならず、負極外部端子１１ｂ側の負極端子２３０にも電圧測定用の配線を接続する。つまり、配線４２１は電圧測定用配線である。
【０１０１】
そして、単位モジュール１１内の全ての配線４１１と配線４２１とが束ねられて配線群４３０を構成する。この配線群４３０は、Ｘ軸方向マイナス側の第一ガイド部３１１及び第二ガイド部３１２で形成された配線経路を通って、第二基板５２０に向かう。また、この際、配線群４３０は、仕切壁３５１の壁の間及び仕切壁３５３の壁の間を通る。つまり、仕切壁３５１及び３５３も、配線経路の一部として機能している。
【０１０２】
また、単位モジュール１２内に配置された蓄電素子２００の正極端子２２０にも配線（例えば同図の配線４４１）が接続されて、配線群４３０と合流し、束ねられて配線群４４０を構成する。そして、配線群４４０は、第二基板５２０に接続される。
【０１０３】
また、第二基板５２０には配線４５０が接続され、配線４５０は、Ｘ軸方向プラス側の第一ガイド部３１１及び第二ガイド部３１２で形成された配線経路を通って、第一基板５１０と接続される。また、この際、配線群４５０は、仕切壁３５１の壁の間及び仕切壁３５３の壁の間を通る。つまり、この場合も、仕切壁３５１及び３５３は、配線経路の一部として機能している。
【０１０４】
このように、第一ガイド部３１１及び第二ガイド部３１２の内側の配線経路には配線４３０、４５０が配置されるが、第一ガイド部３１１及び第二ガイド部３１２の外側には、バスバー４００が配置される。このような構成により、バスバー４００（主回路の高電圧部分）と、通信用や計測用の配線（低電圧部分）とを離隔することができる。
【０１０５】
ここで、仕切壁３５１及び３５３は、上面視で略Ｌ字形状を有しており、Ｌ字の角の部分がＲ形状の曲面となっている。これにより、仕切壁３５１及び３５３が配線経路となる場合に、配線がＬ字の角に当たって配線が損傷するのを抑制することができる。なお、仕切壁３５１及び３５３は、配線経路を形成する部材であることには限定されない。例えば、仕切壁３５１及び３５３は、以下の機能も有している。
【０１０６】
つまり、接続部材４１０は、先端部が仕切壁３５１の一対の壁で形成された開口に挿入され、接続部材４２０は、先端部が仕切壁３５２の一対の壁で形成された開口に挿入される。この場合、仕切壁３５１及び３５２は、接続部材４１０、４２０を蓄電素子２００の電極端子に取り付ける際に接続部材４１０、４２０が回転するのを抑制する機能を有している。ここで、接続部材４１０及び４２０は、先端部がＬ字形状を有している。このため、仕切壁３５１が形成する開口はＹ軸方向に貫通しているが、仕切壁３５２が形成する開口はＹ軸方向から傾斜した方向に貫通している。仕切壁３５２が形成する開口がＹ軸方向に貫通している場合には、配線４２１が先端部に接続された接続部材４２０を当該開口に挿入するのが困難だからである。
【０１０７】
また、第一コネクタ保持部材６０１は、ガイド部挿入口６１１に第一ガイド部３１１が挿入されて位置決めされるが、第一コネクタ保持部材６０１の先端部（Ｙ軸方向プラス側の端部）が、２つの仕切壁３５１の間に配置されることによっても位置決めされる。第二コネクタ保持部材６０２についても同様である。
【０１０８】
なお、本実施の形態では、単位モジュール１１、１２は、モジュールケース１４への蓄電素子２００の収納単位となっている。つまり、単位モジュール１１、１２には、蓄電素子２００が長側面同士を対向させて（正負の電極端子を結ぶ直線に直交する方向に）一列に配列して収納されている。また、単位モジュール１１、１２は、蓄電素子２００の長側面に沿う方向（正負の電極端子を結ぶ直線に沿う方向）に並べて連結される。ここで、単位モジュール同士の電気的な接続は、次の通りである。図４及び図１０に示すように、まず、単位モジュール１１の端の蓄電素子２００と単位モジュール１２の端の蓄電素子２００とが直列接続される。次に、単位モジュール１２内の隣り合う蓄電素子２００同士が直列接続される。次に、単位モジュール１２の当該蓄電素子２００と単位モジュール１１の蓄電素子２００とが直列接続される。次に、単位モジュール１１内の隣り合う蓄電素子２００同士が直列接続される。これを繰り返して、単位モジュール１１及び単位モジュール１２の全ての蓄電素子２００が直列接続されている。
【０１０９】
以上のように、本発明の実施の形態に係る蓄電装置１によれば、配線の経路を形成するガイド部（第一ガイド部３１１及び第二ガイド部３１２）及び仕切壁３５１〜３５４を有する配線配置部材３００と、コネクタ保持部材６００とを備えており、コネクタ保持部材６００は、ガイド部に位置決めされて、配線配置部材３００に着脱可能に取り付けられる。言い換えれば、複数のガイド部のうちの一部のガイド部はコネクタ保持部材６００を位置決めし、他の一部のガイド部は配線経路を形成する。つまり、ガイド部は、配線の経路を形成する機能と、コネクタ保持部材６００を位置決めする機能とを兼ね備えている。このため、ガイド部を形成することで、配線の経路を形成する部位と、コネクタ保持部材６００を位置決めする部位との２種類の部位を形成する必要がないため、配線を配置する際の構成を簡素化することができる。
【０１１０】
また、第一配線配置部材３０１の第一ガイド部３１１と、第二配線配置部材３０２の第二ガイド部３１２とは、隣り合う位置に配置される。つまり、第一配線配置部材３０１の第一ガイド部３１１と、第二配線配置部材３０２の第二ガイド部３１２とによって、配線の経路が形成される。このように、２つの配線配置部材のガイド部を隣り合う位置に配置して配線経路を形成することで、別部材を用いることなく、２つの配線配置部材の間に容易に配線を通すことができる。
【０１１１】
また、第一ガイド部３１１及び第二ガイド部３１２は、複数の突出部によって、コネクタ保持部材６００を位置決めし、また、配線経路を形成することができる。
【０１１２】
また、蓄電装置１は、コネクタ９１０が取り付けられた第一コネクタ保持部材６０１と、第一コネクタ保持部材６０１と同一形状の、コネクタ取付口６２１が閉塞された第二コネクタ保持部材６０２とを有している。つまり、コネクタを配置しない側にも同一形状のコネクタ保持部材を使用することで、蓄電装置１の構成を簡素化することができる。
【０１１３】
また、第一コネクタ保持部材６０１は、配線配置部材３００の一端部に設けられたガイド部（第一ガイド部３１１）に位置決めされ、第二コネクタ保持部材６０２は、配線配置部材３００の他端部に設けられたガイド部（第二ガイド部３１２）に位置決めされる。つまり、一方のガイド部に第一コネクタ保持部材６０１を位置決めする機能、他方のガイド部に第二コネクタ保持部材６０２を位置決めする機能を兼ねさせることで、蓄電装置１の構成を簡素化することができる。
【０１１４】
また、第一ガイド部３１１及び第二ガイド部３１２の先端と蓋体８００とが接触又は近接して対向配置されているため、第一ガイド部３１１及び第二ガイド部３１２に配置される配線が、第一ガイド部３１１及び第二ガイド部３１２を飛び越えて外れることを抑制することができる。
【０１１５】
また、蓄電素子２００の押さえ部材を配線配置部材３００として活用することで、蓄電装置１の構成を簡素化することができる。
【０１１６】
また、コネクタ保持部材６００には、ガイド部が挿入される貫通孔であるガイド部挿入口６１１が形成されているため、容易に、コネクタ保持部材６００にガイド部を取り付けることができる。
【０１１７】
また、コネクタ保持部材６００と外装体であるモジュールケース１４とは外面が同一平面上に配置されるため、コネクタ保持部材６００と当該外装体との外面を覆うカバーを取り付けやすい。
【０１１８】
また、複数の第一ガイド部３１１及び仕切壁３５１、３５２（または、第二ガイド部３１２及び仕切壁３５３、３５４）が、回転対称の位置に配置されているため、当該ガイド部及び仕切壁が設けられた部材（配線配置部材３００）を取り付ける際に、取付方向を間違うのを抑制することができる。
【０１１９】
また、蓄電素子２００に接続された配線が接続される第一基板５１０と、コネクタ９１０に接続された配線が接続される第二基板５２０とが、離隔して配置されている。ここで、蓄電素子２００に接続される配線は、電圧測定用配線などの高電圧の配線であり、コネクタ９１０に接続される配線は、通信用配線（制御用配線）などの低電圧の配線である。このため、低電圧の配線が接続されている第二基板５２０を、高電圧の配線が接続されている第一基板５１０から離隔して配置することで、低電圧の配線を高電圧の配線から容易に絶縁することができ、配線を配置する際の構成を簡素化することができる。
【０１２０】
また、第二基板５２０を第一基板５１０と異なる部材に配置することで、低電圧の配線を高電圧の配線からさらに容易に絶縁することができる。
【０１２１】
以上、本発明の実施の形態に係る蓄電装置１について説明したが、本発明は、上記実施の形態に限定されるものではない。つまり、今回開示された実施の形態は全ての点で例示であって制限的なものではないと考えられるべきである。本発明の範囲は上記した説明ではなくて請求の範囲によって示され、請求の範囲と均等の意味及び範囲内での全ての変更が含まれることが意図される。
【０１２２】
例えば、上記実施の形態では、配線配置部材３００は、第一配線配置部材３０１及び第二配線配置部材３０２の２つの部材で構成されていることとしたが、配線配置部材３００は、１つの部材で構成されていてもよいし、３つ以上の部材で構成されていてもよい。このような構成においても、上記実施の形態と同様の効果を奏することができる。具体的な構成について、以下に説明する。
【０１２３】
図１１は、本発明の実施の形態の変形例１に係る配線配置部材３００に、第一コネクタ保持部材６０１、第二コネクタ保持部材６０２及び閉止部材７００が取り付けられる構成を示す斜視図である。また、図１２は、本発明の実施の形態の変形例２に係る配線配置部材３００に、第一コネクタ保持部材６０１、第二コネクタ保持部材６０２及び閉止部材７００が取り付けられる構成を示す斜視図である。
【０１２４】
まず、図１１に示すように、配線配置部材３００は、第一配線配置部材３０１の１つの部材を備えており、第一配線配置部材３０１の両端部に、第一コネクタ保持部材６０１、第二コネクタ保持部材６０２及び閉止部材７００が取り付けられている。つまり、この場合、蓄電装置１は、１つの単位モジュールしか備えていない。具体的には、第一配線配置部材３０１の一端部の第一ガイド部３１１に第一コネクタ保持部材６０１が位置決めされて着脱可能に取り付けられており、第一配線配置部材３０１の他端部の第一ガイド部３１１に第二コネクタ保持部材６０２が位置決めされて着脱可能に取り付けられる。
【０１２５】
また、図１２に示すように、配線配置部材３００は、第一配線配置部材３０１、第二配線配置部材３０２及び第三配線配置部材３０３の３つの部材を備えており、第一配線配置部材３０１の端部に、第一コネクタ保持部材６０１が取り付けられ、第三配線配置部材３０３の端部に、第二コネクタ保持部材６０２及び閉止部材７００が取り付けられている。つまり、この場合、蓄電装置１は、３つの単位モジュールを備えている。
【０１２６】
具体的には、第一配線配置部材３０１のＹ軸方向マイナス側の端部の第一ガイド部３１１に、第一コネクタ保持部材６０１が位置決めされて着脱可能に取り付けられる。また、第三配線配置部材３０３のＹ軸方向プラス側の端部の第三ガイド部３１３に、第二コネクタ保持部材６０２が位置決めされて着脱可能に取り付けられる。また、第三配線配置部材３０３のＹ軸方向プラス側の端部の開口部３２３、３３３に、閉止部材７００が取り付けられる。
【０１２７】
また、第二配線配置部材３０２のＹ軸方向プラス側の端部の第二ガイド部３１２と、第三配線配置部材３０３のＹ軸方向マイナス側の端部の第三ガイド部３１３とは、隣り合う位置に配置される。そして、この隣り合った第二ガイド部３１２と第三ガイド部３１３とで、直線状の配線の経路が形成される。このように、第三ガイド部３１３は、上記実施の形態における第一ガイド部３１１及び第二ガイド部３１２と同様の機能を有する。
【０１２８】
また、第二配線配置部材３０２のＹ軸方向プラス側の開口部３２２及び３３２と、第三配線配置部材３０３のＹ軸方向マイナス側の開口部３２３及び３３３とは、隣り合う位置に配置される。そして、この隣り合った開口部３２２及び３３２と開口部３２３及び３３３とに跨って、バスバー４００が配置される。
【０１２９】
以上のように、配線配置部材３００は、１つの部材で構成されていてもよいし、３つの部材で構成されていてもよいし、さらに、４つ以上の部材で構成されていてもよい。
【０１３０】
なお、配線配置部材３００が複数の部材で構成される場合、当該複数の部材は、図１２に示すような直線状に配置されることには限定されない。例えば、ガイド部の配置位置を変更したり、バスバーの代わりに配線で接続するなどにより、Ｌ字形状、Ｕ字形状、Ｏ字形状など、配線配置部材３００の複数の部材を様々な形に構成することができる。つまり、配線配置部材３００が備える各部材は、４方向で他の部材と接続可能とする構成にしてもよい。
【０１３１】
また、上記実施の形態では、第一配線配置部材３０１には第一ガイド部３１１が一体に設けられ、第二配線配置部材３０２には第二ガイド部３１２が一体に設けられていることとした。しかし、ガイド部は、第一配線配置部材３０１または第二配線配置部材３０２に別体で設けられていることにしてもよい。また、ガイド部は、第一配線配置部材３０１及び第二配線配置部材３０２のいずれか一方にしか設けられていない構成でもかまわない。この場合、第一コネクタ保持部材６０１及び第二コネクタ保持部材６０２のうち、当該ガイド部に対応するコネクタ保持部材が当該ガイド部に位置決めされる。
【０１３２】
また、上記実施の形態では、第一配線配置部材３０１及び第二配線配置部材３０２は、別部材であることとした。しかし、第一配線配置部材３０１及び第二配線配置部材３０２は、一体化された１つの部材であることにしてもよい。
【０１３３】
また、上記実施の形態では、第一ガイド部３１１と第二ガイド部３１２とは、隣り合う位置に配置されることとした。しかし、第一ガイド部３１１と第二ガイド部３１２とは、隣り合う位置から少しずれた位置に配置されることにしてもよい。
【０１３４】
また、上記実施の形態では、第一コネクタ保持部材６０１と第二コネクタ保持部材６０２とは、同一形状であることとした。しかし、第一コネクタ保持部材６０１と第二コネクタ保持部材６０２とは、異なる形状であってもかまわない。
【０１３５】
また、上記実施の形態では、第二コネクタ保持部材６０２は、コネクタ取付口６２１がカバー部材９２０で閉塞されることとした。しかし、第二コネクタ保持部材６０２のコネクタ取付口６２１にはカバー部材９２０は配置されず、コネクタ取付口６２１が開口した状態となっていてもかまわない。
【０１３６】
また、上記実施の形態では、配線配置部材３００（第一配線配置部材３０１及び第二配線配置部材３０２）は、蓄電素子２００を押さえ込む押さえ部材も兼ねることとした。しかし、配線配置部材３００とは別体で、押さえ部材が設けられていてもかまわない。
【０１３７】
また、上記実施の形態では、コネクタ保持部材６００（第一コネクタ保持部材６０１及び第二コネクタ保持部材６０２）には、ガイド部（第一ガイド部３１１及び第二ガイド部３１２）が挿入される貫通孔であるガイド部挿入口６１１が形成されていることとした。しかし、コネクタ保持部材６００には、ガイド部挿入口６１１として、切り欠きや凹部が形成されていてもよい。また、ガイド部は、ガイド部挿入口６１１と係合し、または嵌合することによって、コネクタ保持部材６００の位置決めを行うことにしてもよい。
【０１３８】
また、上記実施の形態では、コネクタ保持部材６００（第一コネクタ保持部材６０１及び第二コネクタ保持部材６０２）には、貫通孔であるコネクタ取付口６２１が形成されていることとした。しかし、コネクタ保持部材６００には、コネクタ取付口６２１として、貫通孔でなく切り欠きが形成されていてもよい。
【０１３９】
また、上記実施の形態では、コネクタ保持部材６００（第一コネクタ保持部材６０１及び第二コネクタ保持部材６０２）は、外面がモジュールケース１４の外面と同一平面上に配置されることとした。しかし、コネクタ保持部材６００の外面とモジュールケース１４の外面とは、異なる平面上に配置されることにしてもよい。
【０１４０】
また、例えば、図７、図１１及び図１２において、配線配置部材３００には、第一コネクタ保持部材６０１及び第二コネクタ保持部材６０２が取り付けられることとしたが、第二コネクタ保持部材６０２が取り付けられない構成でもかまわない。
【０１４１】
また、上記実施の形態では、配線配置部材３００（第一配線配置部材３０１及び第二配線配置部材３０２）は、回転対称の位置に、異なる形状の仕切壁３５１及び仕切壁３５２（または仕切壁３５３及び仕切壁３５４。以下同様）を有していることとした。しかし、仕切壁３５１及び仕切壁３５２は、回転対称の位置に配置されていなくともよい。または、仕切壁３５１及び仕切壁３５２は、同じ形状を有していてもよい。この場合、配線配置部材３００は、前後左右対称となる形状を有することにしてもよい。または、配線配置部材３００は、仕切壁３５１及び仕切壁３５２を有していない構成でもかまわない。
【０１４２】
また、上記実施の形態では、蓄電装置１は、第一基板５１０と第二基板５２０とを備えていることとしたが、いずれかの基板を備えていない構成でもかまわない。また、蓄電装置１は、第一基板５１０と第二基板５２０とが一体化された１つの基板を備えていてもよい。
【０１４３】
また、上記実施の形態では、第一基板５１０及び第二基板５２０は、異なる部材である第一配線配置部材３０１及び第二配線配置部材３０２にそれぞれ配置されていることとした。しかし、第一基板５１０及び第二基板５２０は、ともに、第一配線配置部材３０１及び第二配線配置部材３０２のいずれか一方の配線配置部材に配置されていることにしてもよい。また、第一基板５１０は、第一配線配置部材３０１及び第二配線配置部材３０２の双方、または第二配線配置部材３０２のみに配置されていてもよいし、第二基板５２０は、第一配線配置部材３０１及び第二配線配置部材３０２の双方、または第一配線配置部材３０１のみに配置されていてもよい。
【０１４４】
また、上記実施の形態では、コネクタ保持部材６００（第一コネクタ保持部材６０１及び第二コネクタ保持部材６０２）は、配線配置部材３００（第一配線配置部材３０１及び第二配線配置部材３０２）のＹ軸方向の両端部に配置されることとした。しかし、コネクタ保持部材６００は、配線配置部材３００のＸ軸方向の両端部に配置されていてもよいし、端部ではなく中央部に配置されていてもよい。
【産業上の利用可能性】
【０１４５】
本発明は、配線を配置する際の構成を簡素化することができる蓄電装置等に適用できる。
【符号の説明】
【０１４６】
１  蓄電装置
１０  モジュール群
１１、１２  単位モジュール
１１ａ  正極外部端子
１１ｂ  負極外部端子
１３  排出部
１４  モジュールケース
２０  下側連結部材
３０  上側連結部材
１００  ケース本体
２００  蓄電素子
２１０  容器
２２０  正極端子
２３０  負極端子
３００  配線配置部材
３０１  第一配線配置部材
３０２  第二配線配置部材
３０３  第三配線配置部材
３１１  第一ガイド部
３１２  第二ガイド部
３１３  第三ガイド部
３２１、３２２、３２３、３３１、３３２、３３３  開口部
３４１、３４２  突起
３５１、３５２、３５３、３５４  仕切壁
４００  バスバー
４１０、４２０  接続部材
４１１、４２１、４４１、４５０、９１１、９１２  配線
４３０、４４０  配線群
５１０  第一基板
５２０  第二基板
６００  コネクタ保持部材
６０１  第一コネクタ保持部材
６０２  第二コネクタ保持部材
６１０  底壁部
６１１  ガイド部挿入口
６２０  コネクタ取付部
６２１  コネクタ取付口
６３０  側壁部
７００  閉止部材
８００  蓋体
９１０  コネクタ
９２０  カバー部材
【図１】
2017131182.tif 000003
【図２】
2017131182.tif 000004
【図３】
2017131182.tif 000005
【図４】
2017131182.tif 000006
【図５】
2017131182.tif 000007
【図６】
2017131182.tif 000008
【図７】
2017131182.tif 000009
【図８】
2017131182.tif 000010
【図９】
2017131182.tif 000011
【図１０】
2017131182.tif 000012
【図１１】
2017131182.tif 000013
【図１２】
2017131182.tif 000014
【国際調査報告】
2017131182.tif 000015
2017131182.tif 000016
2017131182.tif 000017
2017131182.tif 000018